(57)【特許請求の範囲】
【請求項１】
移動図像を高解像度で描画し、静止図像を低解像度で描画するとともに、図像が完全な図像として認識できるように図像の部分を分布させて表示する改良型ディスプレイシステムであって、
発光する能動画素と発光しない非能動画素とからなる複数の画素を備えた少なくとも１つの画像セルをもつディスプレイ手段であって、前記非能動画素は、能動画素を該画像セル上にほぼ一様に分布させて移動図像と静止図像について前記図像を一様な強度で表示するために該能動画素の間に配置されて、ディスプレイ手段を他のやり方で可能な距離より近い距離で見ることを可能にするものであり、前記能動画素は、前記画像セル上に分布している図像の部分を描画することができるように発光させるものである、前記ディスプレイ手段と、
図像の各一連の部分を表わし、各瞬間の時刻において画像セルの全体の上に分布している該図像の一連の部分を表示するものである第１組の電気信号を生成するとともに、該図像の前記部分を前記画像セル上に表示させるものである第２組の電気信号を生成するコントローラ手段であって、前記第１組の電気信号が前記図像の前記部分に対応して前記能動画素を発光させることを可能にし、前記第２組の電気信号が、前記画像セルを見る人による、前記第２組の電気信号の一連の信号についての視覚の集積作用により、ある時間にわたって前記能動画素上に前記全体の図像を表示するように、前記図像の前記一連の部分を前記画像セル上に表示させることを可能にし、これにより、前記ディスプレイ手段が、前記全体の図像として認識できるようにしながら、高解像度で移動図像を表示し、低解像度で静止図像を表示するものとなる、前記コントローラ手段と
を含んでなる改良型ディスプレイシステム
【請求項２】
前記図像の構成要素が前記画像セル上を水平方向に動くときに該構成要素が反復されないように、前記図像が前記画像セル上で一様な強度を持つように、前記図像が水平と垂直の動き成分を有するものとすることができるように、
前記少なくとも１つの画像セルは、２つ以上の能動画素をそれぞれに備えた複数の列を有するとともに、前記画像セルは、ただ１つの能動画素をそれぞれに備えた複数の行を有している、
請求項１に記載のディスプレイ装置。
【請求項３】
前記図像の構成要素が前記画像セル上を任意の方向に動くときに該構成要素が反復されないように、
前記少なくとも１つの画像セルは、ただ１つの能動画素をそれぞれに備えた複数の列を有するとともに、前記画像セルは、ただ１つの能動画素をそれぞれに備えた複数の行とを有している、
請求項１に記載のディスプレイ装置。
【請求項４】
いかなる方向へ移動している際に見られても図像の各一連の部分が分断されたように見えないように、前記少なくとも１つの画像セルが格子状に交差している対角線に配置された能動画素を有するものである、請求項１に記載のディスプレイ装置。
【請求項５】
前記ディスプレイ手段は、単一行に互いに隣接して配置された複数の前記画像セルを備え、前記コントローラ手段は、ある時間にわたって前記全体の画像を高解像度で描画するよう前記複数の画像セル上の前記図像の前記部分の移動を制御可能である、請求項１に記載のディスプレイ装置。
【請求項６】
前記画像セルの一つにおける前記画素の配置は、その隣接する複数の画像セルにおける前記画素の配置と同じであり、前記画像セルに配置された能動画素により形成されたパターンに変化が現れないように、１つの画像セルにおける能動画素が次の画像セルの画素の位置に対応するよう前記画素が各画像セルに配置されている、請求項５に記載のディスプレイ装置。
【請求項７】
前記ディスプレイ手段が行と列に配列された複数の画像セルを有しており、前記コントローラ手段は、ある時間にわたって前記全体の図像を高解像度で描画できるよう前記複数の画像セル上の前記図像の前記部分の移動を制御可能である、請求項１に記載のディスプレイ装置。
【請求項８】
前記のある画像セルにおける画素の配置は、その隣接画像セルにおける前記画素の配置と同じであり、前記行列形式の画像セルに配置された前記能動画素配置により形成されたパターンに明らかな変化が現れないように、１つの画像セルの能動画素の配置は次の画像セルの配置に対応するよう前記各画像セルに前記画素を配置するものである、請求項７に記載のディスプレイ装置。
【請求項９】
前記コントローラ手段は、前記移動図像が前記画像セルの能動画素において描画されるように、前記画像セルの画素当り１つのシフト素子をもつ直列シフトレジスタを有しているものである、請求項１に記載のディスプレイ装置。
【請求項１０】
前記コントローラ手段は、各一連の瞬間の時刻に、前記移動図像の一連の部分が前記画像セルの能動画素上に描画されるように、前記画像セルの１行当り１つのシフト素子をもつ複数の直列シフトレジスタをもち、各シフトレジスタは１列当り１つのシフト素子をもつものである、請求項１に記載のディスプレイ装置。
【請求項１１】
前記コントローラ手段は、時間における各一連の瞬間に、前記能動画素が無作為にアクセスされて前記図像の一連の部分を描画できるように、１画素当り１メモリ要素をもつランダムアクセスメモリを有しているものである、請求項１に記載のディスプレイ装置。
【請求項１２】
前記画像セルが、作業者の手で保持可能な部材に装着され、前記部材は、図像の部分を描画するためにその部材上にほぼ一様に分布された画素を有するものである、請求項１に記載のディスプレイ装置。
【請求項１３】
前記部材を見る人がある時間にわたって前記全体図像を認識することができるように、前記部材を空中移動させることにより空中で前記図像の部分の潜在的な画像を得ることができる、請求項12に記載のディスプレイ装置。
【請求項１４】
発光する能動画素と発光しない非能動画素とからなる複数の画素を備えた少なくとも１つの画像セルをもつディスプレイ手段であって、前記非能動画素は、能動画素を該画像セル上にほぼ一様に分布させて移動図像と静止図像について前記図像を一様な強度で表示するために該能動画素の間に配置されて、ディスプレイ手段を他のやり方で可能な距離より近い距離で見ることを可能にするものであり、前記能動画素は、前記図像を描画することができるように発光させるものである、前記ディスプレイ手段と、
図像の各一連の部分を示し、時刻の各瞬間において前記全体の画像セル上に分布している該図像の一連の部分を表示するものである第１組の電気信号を生成するとともに、該図像の前記部分を前記画像セルの上に表示させるものである第２組の電気信号を生成するコントローラ手段であって、前記第１組の電気信号が前記図像の前記部分に対応して前記能動画素を発光させることを可能にし、前記第２組の電気信号が、前記画像セルを見る人による、前記第２組の電気信号の一連の信号についての視覚の集積作用により、ある時間にわたって前記能動画素上に前記全体の図像を表示するように、前記図像の前記一連の部分を前記画像セル上に表示させることを可能にする、前記コントローラ手段と
により、移動図像を高解像度で描画し、静止画像を低解像度で描画する方法であって、
図像全体に対応する第１組の電気信号を生成するステップと、
第２組の電気信号を生成するステップと、
全体の図像として認識できるようにしながら、前記ディスプレイ手段が高解像度で移動図象を表示し、静止図像を低い解像度で表示するように、前記の少なくとも一つの画像セルに前記図像の一連の部分を表示させる、前記ディスプレイ手段に第２組の電気信号を印加するステップと
を含んでなる方法。
【発明の詳細な説明】
発明の分野
本発明は改良型ディスプレイシステムに関し、具体的には、移動図像および静止図像を表示する標示装置として使用するよう考えられている。ただし、この用途専用とは限らない。
本発明の文脈では、用語「図像」は、文字、単語、数、記号から構成された任意の長さの連続する映像であり、さらに、モノクロームやカラーの上記のあらゆる連続した映像の組合せも意味する。
さらに、本発明の文脈においては、用語「画素（pixel）」は、用語「画像要素（picture element）」の省略形として使用されている。したがって、一定の領域に拡がった画素の集合を、「画像セル」と呼ぶ。図面では、画素は「ライト」、画像セルは「タイル」と呼ばれる。本明細書では複数の画像セルの配列を「表示ボード」と呼ぶ。表示ボードは、単一行、単一列、または複数の行と列からなる行列の形態をとる。
発明の背景
オーストラリア特許第493435号と第573024号にはそれぞれ、本発明と同様の形式の従来のディスプレイシステムが示してある。これらの特許（および本発明）では、ディスプレイは、心理物理学では「ベータ効果」として知られているプロセスに依存している。基本的には、ベータ効果とは、人の視覚系（目と脳の組合せ）が、瞬時の光像ではなくある時間の光像の集積に依存しているので、人の視覚系は情報の欠損を「充填する」能力を備えているということである。したがって、もし映像が動画である場合には、人の視覚系は、映像が（最高90％程度までといった）欠損情報の大半を備えていれば、その映像に対して所与の解像度を得ることができる。
上記特許第493435号と第573024号では、このベータ効果を用いて、動画に対する所与の解像度を実現するのに必要な画素の数を減らす。しかし、これらの従来のディスプレイはどちらも、比較的離れた複数の列に基づいている。この結果、表示面上のデータ送信率が低くなり、ディスプレイに現れた映像には垂直方向の黒い帯が見えてしまう。これはフリッカーとしても現れる。
列の画素を取り上げて、上記の特許第493435号と第573024号ではブランクの領域にそれらの画素を分配することでこうした問題を克服できることに本発明は気づいた。
これらの三つのシステムの比較は図1.1.1から1.3.4に示されている。これらの図からは、上記特許第493435号と第573024号のシステムでは静止図像は、事実上、認識できないし、動画にはフリッカーが発生することが分かる。ことろが、本発明のシステムでは、静止図像を認識可能であり、動画ではフリッカーがなくなる。上記の各システムは同じ数の画素を備えているが、本発明では、上記従来システムの隣接列の間の領域に（すなわち、画像セル上に）画素が分配されている。さらに、上記の従来の２システムでは、垂直方向移動する図像を表示することができない。
図2.1から2.12では、本発明のディスプレイシステム（各図の上層）とフルマトリックス型ディスプレイシステム（各図の中層）と上記の特許493435号と573024号（各図の下層）の比較が示されている。本発明のフルマトリックス型ディスプレイと本発明のディスプレイシステムではどちらにも球が上がったり下がったりしているのがわかる。これら12枚の図を重ねれば、本発明のディスプレイシステムはフルマトリックスディスプレイとほぼ同じ解像度で球の移動を示していることもわかるであろう。これに対して、従来特許493435号と573024号のディスプレイシステムには、表面上に２または３の線分が上がったり下がったりしているだけである。
したがって、本発明のディスプレイシステムは、上記従来特許493435号と573024号と同じ数の画素（ピクセル）を備えているが、表示面の解像度を上げるために画像セル上に振り分けており、垂直および水平移動成分を含む図像をよりよい解像度で示すことができ。
発明の概要
したがって、本発明の目的は、（前述のオーストラリア特許第493435号と第573024号のディスプレイシステムと）ほぼ同じ数の画素を備え、表示面で移動図像と静止図像をどちらも見ることが可能になるように可視領域上にほぼ均一に分布させている改良型ディスプレイシステムを提供することである。
本発明の一つの側面によると、移動図像を高解像度で描画し、静止図像を低解像度で描画するとともに、図像が完全な図像として認識できるように図像の部分を分布させて表示する改良型ディスプレイシステムであって、発光する能動画素と発光しない非能動画素とからなる複数の画素を備えた少なくとも１つの画像セルをもつディスプレイ手段であって、前記非能動画素は、能動画素を該画像セル上にほぼ一様に分布させて移動図像と静止図像について前記図像を一様な強度で表示するために該能動画素の間に配置されて、ディスプレイ手段を他のやり方で可能な距離より近い距離で見ることを可能にするものであり、前記能動画素は、前記画像セル上に分布している図像の部分を描画することができるように発光させるものである、前記ディスプレイ手段と、図像の各一連の部分を表わし、各瞬間の時刻において画像セルの全体の上に分布している該図像の一連の部分を表示するものである第１組の電気信号を生成するとともに、該図像の前記部分を前記画像セル上に表示させるものである第２組の電気信号を生成するコントローラ手段であって、前記第１組の電気信号が前記図像の前記部分に対応して前記能動画素を発光させることを可能にし、前記第２組の電気信号が、前記画像セルを見る人による、前記第２組の電気信号の一連の信号についての視覚の集積作用により、ある時間にわたって前記能動画素上に前記全体の図像を表示するように、前記図像の前記一連の部分を前記画像セル上に表示させることを可能にし、これにより、前記ディスプレイ手段が、前記全体の図像として認識できるようにしながら、高解像度で移動図像を表示し、低解像度で静止図像を表示するものとなる、前記コントローラ手段とを含んでなる改良型ディスプレイシステムを提供する。
本発明の他の側面によると、発光する能動画素と発光しない非能動画素とからなる複数の画素を備えた少なくとも１つの画像セルをもつディスプレイ手段であって、前記非能動画素は、能動画素を該画像セル上にほぼ一様に分布させて移動図像と静止図像について前記図像を一様な強度で表示するために該能動画素の間に配置されて、ディスプレイ手段を他のやり方で可能な距離より近い距離で見ることを可能にするものであり、前記能動画素は、前記図像を描画することができるように発光させるものである、前記ディスプレイ手段と、図像の各一連の部分を示し、時刻の各瞬間において前記全体の画像セル上に分布している該図像の一連の部分を表示するものである第１組の電気信号を生成するとともに、該図像の前記部分を前記画像セルの上に表示させるものである第２組の電気信号を生成するコントローラ手段であって、前記第１組の電気信号が前記図像の前記部分に対応して前記能動画素を発光させることを可能にし、前記第２組の電気信号が、前記画像セルを見る人による、前記第２組の電気信号の一連の信号についての視覚の集積作用により、ある時間にわたって前記能動画素上に前記全体の図像を表示するように、前記図像の前記一連の部分を前記画像セル上に表示させることを可能にする、前記コントローラ手段とにより、移動図像を高解像度で描画し、静止画像を低解像度で描画する方法であって、図像全体に対応する第１組の電気信号を生成するステップと、第２組の電気信号を生成するステップと、全体の図像として認識できるようにしながら、前記ディスプレイ手段が高解像度で移動図象を表示し、静止図像を低い解像度で表示するように、前記の少なくとも一つの画像セルに前記図像の一連の部分を表示させる、前記ディスプレイ手段に第２組の電気信号を印加するステップとを含んでなる方法が提供される。
【図面の簡単な説明】
本発明の例示的な実施例は以下に示す添付図面を参照しながら説明される。
図1.1.1から1.3.4は、本発明による改良型ディスプレイシステムとオーストラリア特許第493435号と第573024号のディスプレイシステムの比較を示す図である。
図2.1から2.12は、ボールの垂直方向での跳ね返り運動に関して図1.1.1から1.3.4の３システムの比較を示す図である。
図３は、単一行に水平方向に並べられた６の画像セルを有する本発明によるディスプレイシステムの概略回路図である。
図４は、画像セルの６行６列の行列を組み込んだ本発明によるディスプレイシステムの概略回路図である。
図5Aと図5Bは、図３のディスプレイシステムと同様の画像セルの単一行のラック組立体を示す本発明のディスプレイシステムの概略回路図である。
図5Cは、図４のディスプレイシステムと同様の画像セルの行列のラック組立体を示す本発明のディスプレイシステムの概略回路図である。
図6Aは、30画素を組み込んだ本発明のディスプレイシステムの画像セルの平面図である。
図6Bは、32の画素を組み込んだ画素の配置と前記画素の作動順序を示す図である。
図７は、上下に配置された本発明のディスプレイシステムの２つの画像セルの平面図である。
図８は、移動中に図像を表示する本発明の画像セルの１つを組み込んだ保持型標的板を示す側面図である。
好ましい実施例の詳細な説明
図３には、本発明によるディスプレイシステム10が示されている。ディスプレイシステム10は、便宜上コンピュータ12の形態をしたコントローラ、ラック組立体14、電源16、表示ボード20を形成するよう１行に並べられた６画素セル18といった複数の画素セル18から構成される。
コンピュータ12は通常、表示ボード20に表示される図像の詳細をプログラムに組み込んだパソコンの形態である。コンピュータ12は通常、その通信出力端30を介してラック組立体14に接続されている。
ラック組立体14は通信インターフェース140を備えている。この通信インターフェース140はコンピュータ12の通信出力端30に接続されている。通信インターフェース140は、コンピュータ12から信号を受け取り、ラック組立体14により使用可能な信号に変換するよう構成されている。したがって、コンピュータ14は、ラック組立体14と表示ボード20からかなりの距離に離すことができる。
図6Aと6Bに示してあるように、画像セル18はそれぞれ黒い矩形により表された複数の画素を備えている。画素40間の間隔は、やや濃淡のついた領域により示されている。画素40は画像セル18上に規則的に配置されている。本実施例でのこの規則的なパターンは、能動画素40を32個と非能動画素43を288個を備えた列42が５本あり（列42の各能動画素40の間に非能動画素43が４個ある）、スペース列44（非能動画素43を32個備えている）が列42の間にあり、各列46に１つづつ計32個の行46を備えたものである。すなわち、個々の画像セル18の同一行46には画素40が１個しかない。動作時には画像セル18上の強度を均一にするのが望ましいからである。図6Bでは、列42は１、３、５、７、９と番号付けられ、スペース列44は２、４、６、８、10と番号付けられ、行は１から32まで番号付けられている。
図３、5A、5Bを参照すると、ラック組立体14は、各画像セル18に１つづつ320ビットシフトレジスタ50が備えてあり、さらに、320ビットシフトレジスタ50に１台づつ高電流駆動装置52も備えてある。高電流駆動装置52はそれぞれ対応する画像セル18の画素40に接続されている。通常は、高電流駆動装置52は、画素40がLEDである場合には、10から100ミリアンペアの間の出力電流を生成できる。
画素40はLEDの集合と考えられるが、代わりに、オンとオフ状態の間の遅延が比較的短いものであれば他の光発光要素でもよい。
320ビットシフトレジスタ50の動作順に、32個の能動画素40が位置２、７、12、17、22、27、32、69、74、79、84、94、131、136、141、146、151、156、193、198、203、208、213、218、223、260、265、270、275、280および285に配置されていることは重要である。非能動画素43はこれらの位置の間に配置される。したがって、画像セル18は、画素40の実現可能な最大数の約10％だけしか備えられていない。
本実施例では、シフトレジスタ50は320ビットをもち、能動画素40と非能動画素43の動作を同じ時間遅延させる。この遅延は、人の視覚系が適切にベータ効果を実行し、非能動画素43への移動図像の補間を実行するのに必要不可欠である。その結果、320対のワイヤではなく、32対のワイヤだけで各高電流駆動装置52を画像セル18のそれぞれに接続できる。単一の共通ワイヤが各能動画素40に接続されて、ワイヤの数を画素セル18当り33に削減できる。
以下、用語「画素」は32個の能動画素40を示すものとし、320個のすべての画素40と43を「画素40と43」と呼ぶ。
使用時には、コンピュータ12に記憶された図像は、図像をすべてラック組立体14に送ることで表示ボード20に表示される。計320個の画素のうち能動画素40はわずか32個しかないので、任意の時点では図像の一部しか表示されない。したがって、任意の時点では全図像の約10％しか表示されない。しかし、ベータ効果により、この効果がなければ得られない解像度を得ることができる。その部分の例が、文字「Ｗ」と「ｇ」について図1.3.2に示されている。（ただし、水平方向に画像セル18が１つ、垂直方向に画像セル18が５つ拡げられている。）
所与の画像セル18に対応する320ビットシフトレジスタ50は、１時点で前記画像セル18に示される図像の一部分に対応する複数の画素を発光させる。次の時点では、表示ボード20から次の列42に向かって図像が前進する。
320ビットシフトレジスタ50は32回高速で刻時され、画像セル18の連続する列42と44を更新する。このシフト動作が停止し、シフトレジスタ50が停止している状態の間10ミリ秒間程度画素40が発光する。次いで、画素40がオフになり、刻時が繰り返され、その後発光動作が繰り返される。この動作が継続する。その後のクロックサイクルで、図像の次の部分がラック組立体14に送られる。このようにして、連続する幾つかのクロックサイクルにわたって図像全体が画像セル18に表示される。
表示ボード20が２個以上の画像セル18を備えている場合には、図像は１画像セル18の最後の列44から次の画像セル18に移動する。図6Bの構成では、このデータは、画像セル18の入力端60から出力端62に直列に移動する。次に、クロックサイクルが画素40と43にそってデータを刻時して、どの画素40を発光させるかを判定する。
その代わりに、画素40と43を、並列に並べられた32個の10ビットシフトレジスタにより駆動することもできる。さらに、画素40と43を、他のコンピュータ装置からの格子座標参照番号などにより無作為にアクセスすることもできる。
図４には、ディスプレイシステム10と同様の他のディスプレイシステム100が示されており、同じ番号が同じ部分を示す。ディスプレイシステム100と10が異なる点は、ディスプレイシステム100が６行６列に並べられた36個の画像セル18の格子を備えていることである。
画像セル18は、32個ではなく30個の画素40を備えている点でやや異なっている。これは、それぞれ画素40を30個もつ画像セルを２つ備えた表示ボード102を形成するために、図７に示す画素40の反復パターンをもつマトリックス状に複数の画像セル18を並べるのに必要なためである。２つの画像セル18は点線により区分されて示されている。複数の画像セル18が32個の画素40を備えている場合には、１画像セル18の２つの画素40が垂直に隣接する画像セル18の画素40と重なることになる。
したがって、ディスプレイシステム100では、表示ボード102上を左から右だけでなく下方から上方に、またはその逆に図像が移動することが可能になる。コンピュータ12とラック組立体104は、図像が表示ボード102上に２方向に移動できるよう構成されている。
表示ボード102に比較的多数の列と行がある場合には、図5Cに示すように、コンピュータ12の２つの通信ポート30と30'を多重通信式にする必要がありうる。こうした場合には、通信ポート30は、表示ボードの行の半分を制御するよう構成され、通信ポート30'は他の半分を制御するよう構成されている。こうした場合には、MUX110と112が通信ポート30と30'に備えてある。
ディスプレイシステム10と100は、ビルディングの縦仕切または窓枠に置くことができることが分かっている。特定の列42の画素40を縦仕切または窓枠に取付け、隣接列42の間の隙間を、ビルの窓に合うようにする。その結果、ビルの住人には見えないように、極めて大きな表示器がビルの外に置かれ、比較的電力の消費量が少なく、ビルの前を通る人々によく見えることになる。事実、ビルの住人は、窓上に図像（メッセージ）が表示されていることすら分からない。
こうした表示ボードを設計するには、列42間の間隔を縦仕切や窓枠の間隔に等しくするのに十分大きな画素40と43が必要になる。
以下の例を参照しながらディスプレイシステム10と100を説明する。
例１
上記の表示ボード20は以下の構成要件となる。
高さ（ｈ）＝200mm
長さ＝無制限、ただし、＞2000mmが好ましい
垂直解像度（ｖ）＝30個のLED
LEDの直径（ｄ）＝5mm
LEDの照度＝500mod
フルドットマトリックスのLEDの垂直方向の間隔（LS）（すなわち、本発明の画素の垂直方向の間隔）は、以下のとおりである。
LS＝h/v＝200/30＝6.67mm
表示ボードのサイズは変わるので、画像セル18当り30個のLEDの垂直解像度となるのが一般に望ましい。これのため倍率は以下のようになる。
SF＝LED間隔/6.67
例２
したがって、500mm離れている縦仕切をもつビル用の表示ボードの画素40と43の間隔は以下のようになる。
画素間隔（LS）＝縦仕切の間隔/2列
＝500/2＝250mm
すなわち、窓の真ん中に非能動画素43の列が１つ配置され、能動画素40の複数の列だけが縦仕切に配置されている。これは、窓の真ん中に画素の列を備えたフルドットマトリックスディスプレイに対応する構成である。
高さ（Ｈ）＝LS＊垂直解像度（ｖ）
＝250＊30＝7500mm
これは、複数の画像セル18から成る高さ7.5メートルの表示ボード20である。このビルの各階の高さを３メートルと仮定すると、表示ボード20、102は2.5階をカバーすることになる。さらに、この寸法の領域にわたって人が理解できるのに必要な複数のLEDのサイズは以下のとおりである。
新LED直径（Ｄ）＝SF＊ｄ＝（LS/6.6）d m
＝（250/6.67）＊５＝187.4mm
例３
７メートルの高さの画像セルでは、以下の構成要件となる。
ｈ＝7000mm
LS＝h/v＝7000/30＝233
SF＝LS/6.67＝233/6.67＝34.9
新LED直径（Ｄ）＝34.9＊５＝174.5mm
この直径の画素は、取付けられると総直径が約175mmになるLEDの集合により実現される。
図８では、画像セル18を１つ組み込んだワンド（wnad）200が示されている。垂直解像度に画素40が32個、水平解像度に画素40が５個配置されている。ワンド200は、画像セル18が表示する図像を生成する（コンピュータ12の機能を実行する）マイクロコンピュータが中に入っているハンドル部202を備えている。
使用時には、ワンド200が（玩具としてワンド200を使用する子供などの）ユーザにより前後に振り回されて、ベータ効果により画像セル18の領域より大きい見かけの表示ボードを出現させる。
さらに、ワンド200を回したり、一定の方向に動かして、痕跡図像を表すこともできる。
本発明のディスプレイシステム10、100の利点は、図像の２次元部分が所与の時点で表示可能になるよう画像セル18が２次元領域をカバーすることにある。実施例では、各画像セル18の静止解像度は6x5＝30個の画素40となり、移動表示解像度は6x5x10＝300個の画素40となる。これは、任意の時点に図像の線しか表示できない上記特許493435号と573024号と鋭い対照を示す。したがって、本発明のディスプレイシステム10、100は、比較的低い解像度（オリジナルの像の約10％）で静止映像を、ベータ効果のおかげで、オリジナルの像とほぼ同じ解像度で動画を表示できる。動画の解像度は、従来のフルマトリックスディスプレイにより達成できる解像度よりはるかに優れている。これもベータ効果のおかげである。
さらに、画像セル18の複数の画素40は別個に行に並べてあるので、図像を垂直方向に移動させても、表示ボード20、102を眺める人が図像の静止要素に釘づけになりベータ効果を誘導できず見かけ上の解像度を失うという危険はない。この点から、列42と44の画素40と43を、各画素40と43が異なる列42と44にあるように並べることもできる。これは、各画像セルが17x17画素40と43の行列を備えているので達成できる。画素40と43はすべて対角線上に並べられ、どの行や列にも一直線に並んだ画素40と43がなくなる。その結果形成される画像セル18も垂直方向および水平方向に重ねることができる。
20x20個の画素40と43のマトリックスなど他のサイズの行列も使用できる。隣接する画像セル18の１つまたは複数の画素40を重ねて、回路から外して、表示ボード20、102上の光強度を均一にすることが可能な場合もある。この重複は画素40を12％から10％まで削減することにもなる。
本発明の表示ボード20、102の画素の数は少ないので、従来のフルマトリックスディスプレイと（移動図像に対して）ほぼ同じ解像度を達成しながらも、電力消費量が少なくなる。したがって、表示ボード20、101は従来のフルマトリックスディスプレイの電力の10％から12％しか消費しない。これは、大型ディスプレイの作動コストをかなり節約することを示しており、従来のディスプレイへの電力の供給が非実際的になりつつあるのに対して、本ディスプレイは実際的な電力の供給で作動させることができる。
ベータ効果が発揮されるおかげで、複数の画素40の列が５列しかない場合でさえ図像が感知できるほど見かけ上の水平解像度が増大する。しかし、図像が垂直および水平方向に同程度移動する場合には、画像セル18は両方向にほぼ同じ数の画素40と43を備えるのが好ましい。
本発明のディスプレイシステム10、100の他の利点は、上記特許第493435号と第573024号のディスプレイシステムよりもはるかに近距離で眺めることができる点である。これは、１つの列またはインターレースをして２つの列に集中させる代わりに、画像セル18上に画素40を分布させたものである。
当業者に明らかな修正や変更は本発明の範囲内で考慮できる。たとえば、画素40と43の配置は他の構成を取ることができる。
【図２．１】
0003560978.tif 000002
【図２．２】
0003560978.tif 000003
【図２．３】
0003560978.tif 000004
【図２．４】
0003560978.tif 000005
【図２．５】
0003560978.tif 000006
【図２．６】
0003560978.tif 000007
【図２．７】
0003560978.tif 000008
【図２．８】
0003560978.tif 000009
【図２．９】
0003560978.tif 000010
【図２．１０】
0003560978.tif 000011
【図２．１１】
0003560978.tif 000012
【図２．１２】
0003560978.tif 000013
【図１】
0003560978.tif 000014
0003560978.tif 000015
【図３】
0003560978.tif 000016
【図４】
0003560978.tif 000017
【図５Ａ】
0003560978.tif 000018
【図５Ｂ】
0003560978.tif 000019
【図５Ｃ】
0003560978.tif 000020
【図６Ａ】
0003560978.tif 000021
【図６Ｂ】
0003560978.tif 000022
【図７】
0003560978.tif 000023
【図８】
0003560978.tif 000024